(57)【要約】【課題】車体の上面側から全体にかけて容易に視認可能とするカーポートを提供する。【解決手段】カーポート１０は、支柱１８に支持される屋根１２の地上に臨む側の面１４に鏡面を有する。屋根１２は、透明基板２８の積層面３０上に、金属電極層、光吸収層及び透明電極層が積層された太陽電池素子を有する太陽光発電パネル２２を含んで構成され、透明基板を介した前記金属電極層が鏡面を形成する。【選択図】図１
2014098227.tif 000002
【特許請求の範囲】
【請求項１】
屋根と前記屋根を支持する支柱を備えたカーポートであって、
前記屋根は、地上に臨む側の面に鏡面を有することを特徴とするカーポート。
【請求項２】
請求項１記載のカーポートにおいて、
前記屋根は太陽光発電パネルを含んで構成され、
前記太陽光発電パネルは、透明基板と、該透明基板の積層面上に金属電極層、光吸収層及び透明電極層がこの順序で積層された太陽電池素子を有し、且つ前記透明基板の前記積層面の裏面側が前記地上に臨むように支持されることで、前記金属電極層が前記透明基板を介して前記鏡面を形成することを特徴とするカーポート。
【発明の詳細な説明】
【技術分野】
【０００１】
本発明は、屋根と支柱とを備えたカーポートに関する。
【背景技術】
【０００２】
２輪や４輪の自動車を駐車する際、車体が雨や直射日光等に曝されることを防ぐため、屋根や側壁を備えるカーポートが広汎に利用されている。このようなカーポートとして、例えば、特許文献１には、ドライバーが車体の位置を視認できるように、側壁の内側に鏡板を付設した構成を備えるものが提案されている。
【先行技術文献】
【特許文献】
【０００３】
【特許文献１】実開昭６０−７７６５９号公報
【発明の概要】
【発明が解決しようとする課題】
【０００４】
ところで、自動車の愛好家等は、車体の上面を含んだ全体像を眺めることを望む場合がある。特に４輪の自動車では、持ち主等の視線の高さと車高との関係から、車体の上面を視認できる機会が他の面に比して少ない。従って、車体の上面を容易に視認可能とすることが求められている。
【０００５】
しかしながら、特許文献１記載のカーポートによって視認することができるのは、車体の側面や前面、後面の一部分に限られる。また、車体の上面については視認すること自体困難である。
【０００６】
本発明は上記した課題を解決するためになされたもので、車体の上面側から全体にかけて容易に視認可能とするカーポートを提供することを目的とする。
【課題を解決するための手段】
【０００７】
前記の目的を達成するために、本発明は、屋根と前記屋根を支持する支柱を備えたカーポートであって、前記屋根は、地上に臨む側の面に鏡面を有することを特徴とする。
【０００８】
このカーポートでは、屋根の地上に臨む側の面（内面）に鏡面が設けられている。これによって、屋根の下に存在する２輪又は４輪の自動車について、車体の上面側を前記鏡面に映すことができるため、車体の上面側から全体にかけて容易に視認することが可能となる。
【０００９】
鏡面を有する前記屋根は、例えば太陽光発電パネルを含むようにして構成すればよい。前記太陽光発電パネルは、透明基板と、該透明基板の積層面上に、金属電極層、光吸収層及び透明電極層がこの順序で積層された太陽電池素子を有する。従って、太陽光発電パネルを前記透明基板の前記積層面の裏面側が前記地上に臨むように支持することにより、前記金属電極層が前記透明基板を介して前記鏡面を形成する。
【００１０】
すなわち、太陽光発電パネルでは、透明基板を介して金属電極層を視認することが可能である。このため、透明基板を介して金属電極層が鏡面として機能する。従って、屋根に太陽光発電パネルを設けることによって、屋根の内面を鏡面とすることができるとともに、太陽光を利用した発電が可能になる。すなわち、本発明のカーポートでは、屋根の下にある車体を上面側から全体にかけて容易に視認可能とし、且つ上記の発電によって得られた電力を、自動車や家庭及び事業所等に対して供給する供給源としての役割を果たすこともできる。
【発明の効果】
【００１１】
本発明によれば、屋根の地上に臨む側の面に鏡面を設けるようにしているので、該屋根の下に存在する車体の上面側から全体にかけて容易に視認できるカーポートを提供することができる。さらに、屋根を太陽光発電パネルを含む構成とすることで、該太陽光発電パネルの金属電極層を鏡面として用いることができる。これによって、該屋根の内面を鏡面にするとともに、太陽光発電を行うことができる。すなわち、車体の上面側から全体にかけて容易に視認すること及び電力を得ることを可能とするカーポートを提供することができる。
【図面の簡単な説明】
【００１２】
【図１】本発明の実施形態に係るカーポートを屋根の内面側から見た斜視図である。
【図２】図１に示すカーポートを屋根の外面側から見た斜視図である。
【図３】図１に示すカーポートの屋根に含まれる太陽光発電パネルの要部概略縦断面図である。
【図４】図３に示す太陽光発電パネルを構成する太陽電池素子の要部概略縦断面図である。
【発明を実施するための形態】
【００１３】
以下、本発明に係るカーポートにつき好適な実施形態を挙げ、添付の図面を参照して詳細に説明する。
【００１４】
図１は、本実施形態に係るカーポート１０を屋根１２の地上に臨む側の面（内面）１４側から見た斜視図であり、図２は、カーポート１０を屋根１２の内面１４と反対の面（外面）１６側から見た斜視図である。
【００１５】
カーポート１０は、屋根１２と、該屋根１２を支持する支柱１８とを備え、屋根１２と地面との間に２輪又は４輪等の自動車を駐車することができる。図１及び図２に示すように、本実施形態では、屋根１２の下に４輪の自動車２０を駐車する場合を例に挙げて説明する。
【００１６】
屋根１２は、太陽光発電パネル２２が枠体２４に支持されて構成されている。すなわち、屋根１２は太陽光発電パネル２２を含む。ここで、図３及び図４を参照しつつ、太陽光発電パネル２２の構成について説明する。図３は太陽光発電パネル２２の要部概略縦断面図であり、図４は太陽光発電パネル２２を構成する太陽電池素子２６の要部概略縦断面図である。
【００１７】
太陽光発電パネル２２は、複数個の太陽電池素子２６が電気的に直列に接続された集積型の薄膜太陽電池２９が後述する透明基板２８上に形成されており、該透明基板２８と、カバーガラス４２との間の空間が保護樹脂４４によって封止されて構成されている（図３参照）。
【００１８】
カバーガラス４２は、光透過性の良好な材料、例えば、ガラス等で構成されている。保護樹脂４４は、エチレン−酢酸ビニル樹脂（ＥＶＡ）等を用いることができる。このように透明基板２８上にカバーガラス４２及び保護樹脂４４を設けることによって、薄膜太陽電池２９を雨水等から保護することができる。
【００１９】
図４に示すように、太陽電池素子２６は、ＳＬＧ（ソーダライムガラス）等からなる透明基板２８の積層面３０上に、金属電極層３２と、光吸収層３４と、バッファ層３６と、透明電極層３８とがこの順序で積層されることで構成される。
【００２０】
金属電極層３２は、正極として機能する電極であり、多くの場合Ｍｏから形成されるが、場合によってはＷから形成されることもある。ＭｏやＷは十分な金属光沢を示すことから、その平坦な一端面に物体が映り込んで、透明基板２８の積層面３０に臨む側の端面が鏡面として機能する。すなわち、金属電極層３２は、透明基板２８を介して鏡面を形成する。
【００２１】
この場合、金属電極層３２上に形成された光吸収層３４としては、例えば、ＣｕＩｎＳｅ２（いわゆるＣＩＳ）やＣｕＩｎＧａＳｅ２（いわゆるＣＩＧＳ）等のＩ−ＩＩＩ−ＶＩ族化合物（カルコパイライト型化合物）等が採用される。すなわち、太陽電池素子２６はカルコパイライト型太陽電池である。
【００２２】
光吸収層３４上のバッファ層３６は、光吸収層３４との間にヘテロ接合を形成する。このバッファ層３６は、一般的にはＣｄＳから形成されるが、ＺｎＳ、ＩｎＳ等から形成されることもある。
【００２３】
透明電極層３８は、集電効率が高く、且つ太陽光等の光を透過する光透過性に優れる透明体からなり、負極として機能する。この透明電極層３８をなす透明体の好適な例としては、ＺｎＯや、ＺｎＯにＡｌをドープしたＺｎＯ：Ａｌ等が挙げられる。
【００２４】
上記の通り、太陽光発電パネル２２（太陽電池素子２６）では、透明な透明基板２８の積層面３０上に、金属電極層３２によって鏡面が形成され、且つ図３に示すように、この透明基板２８が底面として露出している。このため、透明基板２８の積層面３０の裏面４０側から、該透明基板２８を介して金属電極層３２を視認することができる。すなわち、透明基板２８の裏面４０側に、該透明基板２８を介した鏡面が形成されている。
【００２５】
従って、透明基板２８の裏面４０側が地上に臨むように、太陽光発電パネル２２を枠体２４によって支持することで、屋根１２の内面１４を鏡面とすることができる。また、これによって、太陽光発電パネル２２の透明電極層３８側を太陽光が照射される方向に向けて配置することができる。すなわち、カバーガラス４２及び保護樹脂４４を介して太陽電池素子２６に太陽光が照射されることで、該太陽光を電力に変換することができる。
【００２６】
以上の通り、カーポート１０では、図１に示すように、屋根１２の内面１４に鏡面が設けられているため、屋根１２の下に存在する自動車２０を車体の上面２０ａ（図２参照）側から鏡面に映すことができる。すなわち、自動車２０の車体をその上面２０ａ側から全体にかけて容易に視認することが可能となる。
【００２７】
また、屋根１２を太陽光発電パネル２２を含む構成とすることによって、上記の通り、屋根１２の内面１４を鏡面とすることができるとともに、太陽光を利用した発電が可能になる。すなわち、カーポート１０では、屋根１２の下にある自動車２０の車体を上面２０ａ側から全体にかけて容易に視認可能としつつ、太陽光を電力に変換して、該自動車２０や家庭及び事業所等に対して供給することも可能となる。
【００２８】
本発明は上記した実施形態に限定されるものではなく、その要旨を逸脱しない範囲で種々の変更が可能であることは勿論である。
【００２９】
例えば、この実施形態では、屋根１２を太陽光発電パネル２２を含んで構成することとしたが、太陽光発電パネル２２を含まない屋根１２の内面１４側に鏡板を付設することによって鏡面を形成してもよい。
【００３０】
また、太陽光発電パネル２２の太陽電池素子２６としてカルコパイライト型太陽電池を採用したが、特にこれに限定されるものではない。例えば、太陽光を取り入れる側と反対側（裏面側）に、金属電極層等によって鏡面が形成される他の太陽電池素子を有する太陽光発電パネルを採用してもよい。また、金属電極層等によって鏡面が形成されない太陽電池素子を有する太陽光発電パネルを採用し、該太陽光発電パネルの裏面側に鏡板を付設することで鏡面を形成してもよい。
【符号の説明】
【００３１】
１０…カーポート                  １２…屋根
１４…内面                        １６…外面
１８…支柱                        ２０…自動車
２０ａ…上面                      ２２…太陽光発電パネル
２４…枠体                        ２６…太陽電池素子
２８…透明基板                    ２９…薄膜太陽電池
３０…積層面                      ３２…金属電極層
３４…光吸収層                    ３８…透明電極層
４０…裏面                        ４２…カバーガラス
４４…保護樹脂
【図１】
2014098227.tif 000003
【図２】
2014098227.tif 000004
【図３】
2014098227.tif 000005
【図４】
2014098227.tif 000006